(57)【要約】【課題】リードフレームの保持状態を向上させることが可能な光コネクタを提供する。【解決手段】ＦＯＴ収容室１０を、光コネクタハウジング３の後方から前方に向けてＦＯＴ２を収容するように形成する一方、アライメント部１３、２０を、ＦＯＴ２の収容方向と同じ方向に移動させて光コネクタハウジング３に嵌合係止するリードフレーム保護部材４と、ＦＯＴ収容室１０の下部とに跨って形成し、さらに、アライメント部１３、２０を、前後方向からリードフレーム７の傾斜する部分７ｂを挟み込み、且つ挟み込みによって傾斜する部分７ｂを上下方向でも押さえるような構造に形成する。【選択図】図５
2010102139.tif 000002
【特許請求の範囲】
【請求項１】
上下方向に伸びる部分及び傾斜する部分を形成してなるリードフレームを複数有するＦＯＴ（Fiber Optic Transceiver ）と、該ＦＯＴを収容するためのＦＯＴ収容室を有する光コネクタハウジングと、前記リードフレームの位置関係を調整するためのアライメント部とを含む光コネクタにおいて、
前記ＦＯＴ収容室を、前記光コネクタハウジングの後方から前方に向けて前記ＦＯＴを収容するように形成する一方、
前記アライメント部を、前記ＦＯＴの収容方向と同じ方向に移動させて前記光コネクタハウジングに嵌合係止するリードフレーム保護部材と、前記ＦＯＴ収容室の下部とに跨って形成し、
さらに、前記アライメント部を、前後方向から前記リードフレームの前記傾斜する部分を挟み込み、且つ挟み込みによって前記傾斜する部分を上下方向でも押さえるような構造に形成する
ことを特徴とする光コネクタ。
【請求項２】
請求項１に記載の光コネクタにおいて、
前記ＦＯＴ収容室及び前記リードフレーム保護部材のいずれか一方に、前後方向に伸びるレール溝を形成するとともに、いずれか他方に該レール溝に係合する溝係合部を形成する
ことを特徴とする光コネクタ。
【請求項３】
請求項１又は請求項２に記載の光コネクタにおいて、
前記アライメント部を、前記傾斜する部分の左右両側も押さえる略櫛歯形状に形成する
ことを特徴とする光コネクタ。
【発明の詳細な説明】
【技術分野】
【０００１】
本発明は、ＦＯＴ（Fiber Optic Transceiver ）と光コネクタハウジングとを備えるとともに、ＦＯＴのリードフレームに対するアライメント部を含む光コネクタに関する。
【背景技術】
【０００２】
光コネクタを構成するＦＯＴ（Fiber Optic Transceiver ）は、光素子を有するＦＯＴ本体と、このＦＯＴ本体からのびる複数のリードフレーム（回路基板接続用のピン）とを有している。ＦＯＴは、この外側をシールドケースで覆うことにより電磁的なシールドがなされるようになっている。
【０００３】
下記特許文献１には、シールドケースで覆う作業の際の、ＦＯＴのリードフレームの位置ズレを防止するための取付補助具に関する技術が開示されている。取付補助具には、リードフレームを保持するためのアライメント部が形成されている。ＦＯＴのリードフレームは、傾斜する部分及び上下方向に伸びる部分を有している。傾斜する部分は、ＦＯＴの本体側に位置し、上下方向に伸びる部分は傾斜する部分に連成されている。上下方向に伸びる部分の先端は、回路基板に差し込まれて半田付けされるようになっている。
【０００４】
開示技術によれば、アライメント部の上からＦＯＴを真っ直ぐ下に移動させ、そして、リードフレームをアライメント部に差し込むようにすると、これによってＦＯＴはリードフレームが保持された状態になる。従って、リードフレームが保持された状態のままＦＯＴをシールドケースで覆うようにすれば、この作業の最中に誤ってリードフレームの位置がずれてしまうことを避けることができる。
【特許文献１】特開２００５−２６６１３０号公報
【発明の開示】
【発明が解決しようとする課題】
【０００５】
上記従来技術にあっては、ＦＯＴを取付補助具のアライメント部の上方から差し込みによって組み付けることから、リードフレームの保持が不十分な場合、上下方向にガタ付きが生じてしまうという可能性を有している。仮にガタ付きが生じてリードフレームの位置が安定しない場合、光コネクタにおいては光軸のズレが発生してしまうことになる。
【０００６】
本発明は、上記した事情に鑑みてなされたもので、リードフレームの保持状態を向上させることが可能な光コネクタを提供することを課題とする。
【課題を解決するための手段】
【０００７】
上記課題を解決するためになされた請求項１記載の本発明の光コネクタは、上下方向に伸びる部分及び傾斜する部分を形成してなるリードフレームを複数有するＦＯＴ（Fiber Optic Transceiver ）と、該ＦＯＴを収容するためのＦＯＴ収容室を有する光コネクタハウジングと、前記リードフレームの位置関係を調整するためのアライメント部とを含む光コネクタにおいて、前記ＦＯＴ収容室を、前記光コネクタハウジングの後方から前方に向けて前記ＦＯＴを収容するように形成する一方、前記アライメント部を、前記ＦＯＴの収容方向と同じ方向に移動させて前記光コネクタハウジングに嵌合係止するリードフレーム保護部材と、前記ＦＯＴ収容室の下部とに跨って形成し、さらに、前記アライメント部を、前後方向から前記リードフレームの前記傾斜する部分を挟み込み、且つ挟み込みによって前記傾斜する部分を上下方向でも押さえるような構造に形成することを特徴としている。
【０００８】
このような特徴を有する本発明によれば、光コネクタハウジングの後方から前方に向けてＦＯＴをＦＯＴ収容室に収容し、この後にリードフレーム保護部材をＦＯＴの収容方向と同じ方向に移動させて光コネクタハウジングに嵌合係止すると、アライメント部の構成及び構造によって、ＦＯＴのリードフレームにおける傾斜する部分は、前後方向から挟み込まれるとともに上下方向からも押さえられる。リードフレームの位置は、本発明によって安定する。
【０００９】
請求項２記載の本発明の光コネクタは、請求項１に記載の光コネクタにおいて、前記ＦＯＴ収容室及び前記リードフレーム保護部材のいずれか一方に、前後方向に伸びるレール溝を形成するとともに、いずれか他方に該レール溝に係合する溝係合部を形成することを特徴としている。
【００１０】
このような特徴を有する本発明によれば、リードフレーム保護部材を光コネクタハウジングに嵌合係止する際、前後方向に伸びるレール溝に溝係合部が係合する。この係合により、リードフレーム保護部材は上下方向の移動が規制されガタ付きが抑えられる。尚、レール溝と溝係合部との係合を圧入とし、これによってガタ付きを完全に無くすことも可能であるものとする。
【００１１】
請求項３記載の本発明の光コネクタは、請求項１又は請求項２に記載の光コネクタにおいて、前記アライメント部を、前記傾斜する部分の左右両側も押さえる略櫛歯形状に形成することを特徴としている。
【００１２】
このような特徴を有する本発明によれば、リードフレーム保護部材を光コネクタハウジングに嵌合係止すると、リードフレームの傾斜する部分の左右両側も同時に押さえられる。傾斜する部分は、前後方向から挟み込まれるとともに上下方向及び左右方向からも押さえられる。リードフレームの位置は、より一層安定する。
【発明の効果】
【００１３】
請求項１に記載された本発明によれば、アライメント部の構成及び構造によって、リードフレームの傾斜する部分を前後方向から挟み込むとともに上下方向からも押さえることができる。従って、ガタ付きを防止してリードフレームの位置を従来よりも安定させることができる。言い換えれば、リードフレームの保持状態を従来よりも向上させることができる。本発明は、光軸のズレ防止に効果的である。
【００１４】
請求項２に記載された本発明によれば、上下方向のガタ付きをより一層効果的に防止することができる。
【００１５】
請求項３に記載された本発明によれば、リードフレームを左右方向からも押さえることができる。本発明は、前後方向及び上下方向の他に左右方向からも押さえることから、より良好な状態でガタ付きを防止することができる。
【発明を実施するための最良の形態】
【００１６】
以下、図面を参照しながら説明する。図１は本発明の光コネクタの一実施の形態を示す構成図である。また、図２は光コネクタの底面図である。さらに、図３〜図６はリードフレーム保護部材を光コネクタハウジングに嵌合係止する前の状態を示す図、図７〜図８はリードフレーム保護部材を光コネクタハウジングに嵌合係止した後の状態を示す図、図９は光コネクタの外観斜視図である。
【００１７】
図１及び図２において、引用符号１は本発明の光コネクタを示している。光コネクタ１は、図示しない回路基板に実装されるレセプタクルタイプのものであって、ＦＯＴ（Fiber Optic Transceiver ）２と、光コネクタハウジング３と、リードフレーム保護部材４と、シールド部材５とを備えて構成されている。先ず、各構成部材について説明する（図１中の矢印Ｐを前後方向、矢印Ｑを上下方向、矢印Ｒを左右方向と定義するものとする）。
【００１８】
図１、図３、及び図５において、上記ＦＯＴ２は、光素子を有するＦＯＴ本体６と、このＦＯＴ本体６から伸びる複数の基板接続用のピン、すなわちリードフレーム７とを有している。ＦＯＴ２は、発光側のものと受光側のものの二つが備えられている。発光側のものは発光素子が設けられ、受光側のものは受光素子が設けられている。各光素子は、対応するリードフレーム７にワイヤーボンディング等で接続されている。
【００１９】
ＦＯＴ本体６の後面は、平坦に形成されている。この後面を介してＦＯＴ本体６は、シールド部材５により前方へと押圧されるようになっている。ＦＯＴ本体６の前面には、光学的な接続の際の接続相手案内部分となる環状案内部８が形成されている。
【００２０】
リードフレーム７は、断面四角形状であって、上下方向に伸びる部分７ａ及び傾斜する部分７ｂを連続して有している。上下方向に伸びる部分７ａは、この先端が図示しない回路基板の対応する回路に半田付けされるようになっている。傾斜する部分７ｂは、ＦＯＴ本体６側に存在するようになっている。リードフレーム７は、図２に示す如く、千鳥状となる位置に配置されている。リードフレーム７は、傾斜する部分７ｂがＦＯＴ２の前側に傾斜する場合と、後側に傾斜する場合とがあるようになっている（図５参照）。
【００２１】
図３ないし図６において、上記光コネクタハウジング３は、絶縁性を有する合成樹脂製の部材であって、ハウジング前面を開口させて形成される嵌合部９と、ハウジング後面を開口させて形成されるＦＯＴ収容室１０とを有している。嵌合部９は、図示しないプラグタイプの光コネクタが嵌合する部分として形成されている。ＦＯＴ収容室１０は、二つのＦＯＴ２をそれぞれ収容する部分として形成されている。嵌合部９とＦＯＴ収容室１０は、筒部１１によって連通するように形成されている。ＦＯＴ収容室１０には、ＦＯＴ２を圧入によって固定するためのピン１２が形成されている（一例であるものとする）。ＦＯＴ収容室１０の下部には、光コネクタハウジング３側のアライメント部１３が形成されている。
【００２２】
アライメント部１３は、平面視略櫛歯状となる形状に形成されている。アライメント部１３は、リードフレーム７における上記前側に傾斜する場合の、傾斜する部分７ｂに対応する押さえ部１３ａと、上記後側に傾斜する場合の、傾斜する部分７ｂに対応する押さえ部１３ｂとを有している。押さえ部１３ａは、傾斜する部分７ｂの上面を押さえることができるような形状、すなわち図５に示す如くの傾斜した形状に形成されている。また、押さえ部１３ｂも傾斜した形状に形成されている。押さえ部１３ｂは、傾斜する部分７ｂの下面を押さえることができるように形成されている。押さえ部１３ａ及び１３ｂは、交互に配置形成されている。
【００２３】
アライメント部１３は、前後方向に真っ直ぐ伸びる一対のレール溝１４を有している。レール溝１４は、本形態において、光コネクタハウジング３の左右両側壁の内面位置に配置形成されている（ＦＯＴ収容室１０の下部の左右両側位置に配置形成されている）。このようなレール溝１４の途中には、上記側壁の外面まで貫通する係止穴１５が形成されている。係止穴１５は、リードフレーム保護部材４を係止する部分として形成されている（係止穴１５の配置は一例であるものとする。例えばアライメント部１３の中央位置に配置形成しても良いものとする）。
【００２４】
リードフレーム７の上下方向に伸びる部分７ａは、アライメント部１３を介して下方へ突出するようになっている。
【００２５】
光コネクタハウジング３の下面１６には、図示しない回路基板に対して差し込み固定するためのピン状の固定部１７が形成されている。下面１６において、引用符号１８、１９で示すスリットは、上記シールド部材５の一部を案内するための部分として形成されている。
【００２６】
図３ないし図６において、上記リードフレーム保護部材４は、ＦＯＴ２のＦＯＴ収容室１０に対する収容方向と同じ方向に移動させて光コネクタハウジング３に嵌合係止する部材であって、平面視略櫛歯状となる形状に形成されている。リードフレーム保護部材４は、光コネクタハウジング３側のアライメント部１３に対応するように形成されている。本形態のリードフレーム保護部材４は、例えばＰＢＴ（ポリブチレンテレフタレート）を用いて成形される樹脂成形品となっている。
【００２７】
リードフレーム保護部材４は、アライメント部２０と、溝係合部２１と、中央支持部２２とを有している。アライメント部２０は、リードフレーム７における上記前側に傾斜する場合の、傾斜する部分７ｂに対応する押さえ部２０ａと、上記後側に傾斜する場合の、傾斜する部分７ｂに対応する押さえ部２０ｂとを有している。押さえ部２０ａは、傾斜する部分７ｂの下面を押さえることができるような形状、すなわち図５に示す如くの傾斜した形状に形成されている。また、押さえ部２０ｂも傾斜した形状に形成されている。押さえ部２０ｂは、傾斜する部分７ｂの上面を押さえることができるように形成されている。押さえ部２０ａ及び２０ｂは、交互に配置形成されている。
【００２８】
アライメント部１３及び２０は、それぞれ平面視略櫛歯状となる形状であることから、押さえ部１３ａ、１３ｂ及び押さえ部２０ａ、２０ｂが傾斜する部分７ｂの左右両側も押さえることができるようになっている。
【００２９】
溝係合部２１は、リードフレーム保護部材４の左右両側に配置形成されている。溝係合部２１は、上記レール溝１４に係合する部分であって、前後方向に伸びる略柱状の形状に形成されている。溝係合部２１及びレール溝１４は、リードフレーム保護部材４の上下方向の移動を規制してガタ付きを抑えるために形成されている。溝係合部２１は、レール溝１４に対して極力隙間が生じないような寸法で形成されている（圧入するような寸法関係であっても良いものとする。溝係合部２１は、ガタを詰めるようなガタ詰め壁として機能するようになっている）。このような溝係合部２１には、上記係止穴１５に引っ掛かり係止される係止突起２３が一体に形成されている。
【００３０】
中央支持部２２は、リードフレーム保護部材４の中央位置に配置形成されている。リードフレーム保護部材４は、中央支持部２２を有することによって、部材中央位置でも光コネクタハウジング２に支持されるようになっている。中央支持部２２は、リードフレーム保護部材４を光コネクタハウジング３に嵌合係止する際のガイド部としての機能も有するようになっている。尚、中央支持部２２に上記係止突起２３を形成して、この位置で係止を行っても良いものとする（上記係止穴１５の配置も変えるものとする）。
【００３１】
図１、図２、及び図９において、上記シールド部材５は、導電性を有する金属板をプレス加工することにより形成されている。シールド部材５は、電磁ノイズ対策を施すために備えられている。シールド部材５は、本形態において、光コネクタハウジング３を覆うような箱形の形状に形成されている（一例であるものとする）。引用符号２４は図示しない回路基板に対して差し込み固定するための固定部を示している。また、引用符号２５はグランド部を示している。グランド部２５は、図示しない回路基板のグランドに半田付けされるようになっている。この他、引用符号２６はＦＯＴ２を前方へ押圧するための（ＦＯＴ本体６の後面を押圧するための）ＦＯＴ押圧板バネ部を示している。
【００３２】
次に、上記構成及び構造に基づきながら本発明の光コネクタ１の組み立てについて説明する。
【００３３】
図３及び図５に示す如く、光コネクタハウジング３のＦＯＴ収容室１０にＦＯＴ２を（ＦＯＴ本体６を）圧入によって収容する。この時、ＦＯＴ２は、光コネクタハウジング３の後方から前方に向けて移動させるようにして収容される。ＦＯＴ２を収容した後、リードフレーム保護部材４をＦＯＴ２の収容方向と同じ方向に移動させて光コネクタハウジング３に嵌合係止する。リードフレーム保護部材４を光コネクタハウジング３に嵌合係止すると、図７及び図８に示す如くの状態になり、ＦＯＴ２のリードフレーム７は、光コネクタハウジング３側のアライメント部１３と、リードフレーム保護部材４側のアライメント部２０とにより保持される。具体的には、リードフレーム７の傾斜する部分７ｂがアライメント部１３及び２０により前後方向から挟み込まれるとともに、上下方向及び左右方向からも押さえられる（図８参照）。これにより必要以上にガタ付くことがなく保持がなされることから、リードフレーム７の位置は安定する。リードフレーム保護部材４の嵌合係止に係る作業の後、光コネクタハウジング３を覆うようにしてシールド部材５を装着すると、一連の組み立てが完了する（図１及び図９参照）。
【００３４】
以上、図１ないし図９を参照しながら説明してきたように、本発明によれば、アライメント部１３及び２０の構成及び構造によって、リードフレーム７の傾斜する部分７ｂを前後方向から挟み込むとともに、上下方向及び左右方向からも押さえることができる。従って、ガタ付きを防止してリードフレーム７の位置を従来よりも安定させることができる（リードフレーム７の保持状態を従来よりも向上させることができる）。
【００３５】
本発明の光コネクタ１は、光軸のズレが起こり難い構造を有することができる。
【００３６】
本発明は本発明の主旨を変えない範囲で種々変更実施可能なことは勿論である。
【００３７】
本発明は、光コネクタと電気コネクタの両方の機能を有するハイブリッドコネクタや、ピッグテールタイプの光コネクタにも適用することが可能であるものとする。
【図面の簡単な説明】
【００３８】
【図１】本発明の光コネクタの一実施の形態を示す構成図である。
【図２】光コネクタの底面図である。
【図３】リードフレーム保護部材を光コネクタハウジングに嵌合係止する前の状態を示す斜視図（後方から見た斜視図）である。
【図４】リードフレーム保護部材を光コネクタハウジングに嵌合係止する前の状態を示す斜視図（上方から見た斜視図）である。
【図５】リードフレーム保護部材を光コネクタハウジングに嵌合係止する前の状態を示す要部断面図である。
【図６】リードフレーム保護部材を光コネクタハウジングに嵌合係止する前の状態を示す底面図（下方から見た図）である。
【図７】リードフレーム保護部材を光コネクタハウジングに嵌合係止した後の状態を示す斜視図（後方から見た斜視図）である。
【図８】リードフレーム保護部材を光コネクタハウジングに嵌合係止した後の状態を示す要部断面図である。
【図９】光コネクタの外観斜視図である。
【符号の説明】
【００３９】
１  光コネクタ
２  ＦＯＴ
３  光コネクタハウジング
４  リードフレーム保護部材
５  シールド部材
６  ＦＯＴ本体
７  リードフレーム
７ａ  上下方向に伸びる部分
７ｂ  傾斜する部分
８  環状案内部
９  嵌合部
１０  ＦＯＴ収容室
１１  筒部
１２  ピン
１３  アライメント部
１３ａ、１３ｂ  押さえ部
１４  レール溝
１５  係止穴
１６  下面
１７  固定部
１８、１９  スリット
２０  アライメント部
２０ａ、２０ｂ  押さえ部
２１  溝係合部
２２  中央支持部
２３  係止突起
２４  固定部
２５  グランド部
２６  ＦＯＴ押圧板バネ部
【図１】
2010102139.tif 000003
【図２】
2010102139.tif 000004
【図３】
2010102139.tif 000005
【図４】
2010102139.tif 000006
【図５】
2010102139.tif 000007
【図６】
2010102139.tif 000008
【図７】
2010102139.tif 000009
【図８】
2010102139.tif 000010
【図９】
2010102139.tif 000011